(57)【特許請求の範囲】
【請求項１】
互いに独立な二系統の送信信号（Ｓ１，Ｓ２）を入力し、この二つの送信信号をベクトル加算および減算して合成し、この合成された信号をそれぞれ二つの伝搬路で伝送し、
この二つの伝搬路で伝送された信号をそれぞれ入力し、一方の伝搬路で伝送された信号と他方の伝搬路で伝送された信号とから一方の送信信号を消去して前記二つの送信信号を復元する
ことを特徴とするダイバーシチ送受信方法。
【請求項２】
互いに独立な二系統の送信信号が入力され、この二つの送信信号をベクトル加算および減算して合成し、この合成した信号をそれぞれ二つの伝搬路に送信する送信側装置と、
この二つの伝搬路を通過した受信信号をそれぞれ受信し、一方の伝搬路を通過した信号と他方の伝搬路を通過した信号とから一方の送信信号を消去してそれぞれの送信信号を抽出する受信側装置と
を備えたことを特徴とするダイバーシチ送受信装置。
【請求項３】
前記送信側装置は、前記送信信号のうち一方の送信信号を他方の送信信号に対して同一周波数の搬送波でπ／２異なる位相とする変調手段と、この変調された二つの信号を加算および減算する手段と、この加算および減算された信号のそれぞれを送信する手段とを備え、
前記受信側装置は、受信信号をそれぞれ増幅する増幅手段と、この増幅手段の出力にそれぞれ与えられた重み係数を乗算する乗算手段と、この乗算手段の出力をそれぞれ加算および減算する手段と、この加算および減算されたそれぞれの出力と前記増幅手段の出力との相関演算を行い前記乗算手段に与える重み係数を与える相関制御手段とを備える
請求項２記載のダイバーシチ送受信装置。
【請求項４】
前記加算および減算された出力に代えて、受信信号を復調した復調信号を再変調し前記相関制御手段にそれぞれ入力する再変調手段を備えた請求項３記載のダイバーシチ送受信装置。
【請求項５】
前記加算および減算された出力に代えて、プリアンブル信号を発生し前記相関制御手段にそれぞれ入力するプリアンブル信号発生手段と、受信信号にプリアンブル信号が現れるタイミングで前記増幅手段の出力を前記相関制御手段に入力するゲート手段とを備えた請求項３記載のダイバーシチ送受信装置。
【請求項６】
伝搬路の特性を監視する手段を備え、少なくとも一方の伝搬路の品質が劣化した場合に、送信側での信号の合成処理を停止させる手段を備える請求項２ないし５のいずれか記載のダイバーシチ送受信装置。
【請求項７】
前記監視する手段は、前記相関制御手段の出力より受信信号レベルが所定値以下に低下したことを検出する手段である請求項６記載のダイバーシチ送受信装置。
【請求項８】
互いに独立な二系統の送信信号（Ｓ１  ，Ｓ２  ）をそれぞれ入力とする加算手段および減算手段と、この加算手段の出力信号（Ｓ１  ＋Ｓ２  ）および減算手段の出力信号（Ｓ１  −Ｓ２  ）をそれぞれ二つの伝搬路にダイバーシチ送信する二つの送信手段とを送信側装置に備え、
この二つの伝搬路を通過した信号をそれぞれ受信する二つの受信手段と、この二つの受信手段の出力をそれぞれ入力とする二つの自動利得制御手段と、この二つの自動利得制御手段の出力信号にそれぞれ重み係数（Ｗ１  ，Ｗ２  ）を複素乗算する二つの乗算手段と、この二つの乗算手段の各出力信号（ｘ１  ，ｘ２  ）をそれぞれ入力とする加算手段および減算手段と、この加算手段の出力（ｙ１  ＝ｘ１  ＋ｘ２  ）および減算手段の出力（ｙ２  ＝ｘ１  −ｘ２  ）をそれぞれ第一の入力とし前記二つの自動利得制御手段の出力をそれぞれ第二の入力としそれぞれ相関演算を行い前記重み係数（Ｗ１  ，Ｗ２  ）として前記二つの乗算手段にそれぞれ与える相関制御手段とを受信側装置に備えたことを特徴とするダイバーシチ送受信装置。
【請求項９】
前記互いに独立な二系統の送信信号（Ｓ１  ，Ｓ２  ）はそれぞれ位相がほぼπ／２異なる同一周波数の搬送波を変調した信号である請求項８記載のダイバーシチ送受信装置。
【請求項１０】
前記二つの相関制御手段は、前記受信側装置の加算手段の出力（ｙ１  ）および減算手段の出力（ｙ２  ）について、それぞれ振幅が二乗に比例し、位相が同相になるように前記重み係数（Ｗ１  ，Ｗ２  ）を演算する手段を含む請求項８または９記載のダイバーシチ送受信装置。
【請求項１１】
前記二つの伝搬路の伝達係数をそれぞれρ１  ，ρ２  （いずれも複素数）とするとき、
前記二つの自動利得制御手段の利得はそれぞれ
１／｜ρ１  ｜、１／｜ρ２  ｜
に比例し、前記重み係数はそれぞれ、ｋ１  、ｋ２  を比例定数とするとき
Ｗ１  ＝ｋ１  ρ１  ＊／｜ρ１  ｜、Ｗ２  ＝ｋ２  ρ２  ＊／｜ρ２  ｜
（ρ１  ＊およびρ２  ＊  はそれぞれρ１  およびρ２  の複素共役を表す）
である請求項１０記載のダイバーシチ送受信装置。
【請求項１２】
復調された二つの受信データをそれぞれ再変調して前記相関制御手段に加算手段および減算手段の出力に代えてそれぞれ与える二つの変調器を備える請求項８ないし１１のいずれか記載のダイバーシチ送受信装置。
【請求項１３】
加算手段および減算手段の出力に代えてプリアンブル信号を発生し前記相関制御手段に基準信号として与えるプリアンブル信号発生回路と、受信信号にプリアンブル信号が現れるタイミングで前記自動利得制御手段の出力を通過させて相関制御手段に与えるゲート手段とを備える請求項８ないし１１のいずれか記載のダイバーシチ送受信装置。
【請求項１４】
受信信号レベルを監視し、所定の受信信号レベルが所定値以下となった場合に送信側での信号の合成処理を停止させる手段を備えた請求項８ないし１３のいずれか記載のダイバーシチ送受信装置。
【発明の詳細な説明】
【０００１】
【発明の属する技術分野】
本発明は無線通信に利用する。本発明は、とくに電波伝搬の状態が時間の経過にしたがって変動する無線通信に利用するに適する。本発明は、フェージングによる電波伝搬特性の時間的変動があまり急激ではない局間無線通信あるいはビル間通信、衛星通信等に適用するに特に適する。本発明は、二つの電波伝搬路を利用して通信を行う新しいダイバーシチ通信方式であって、従来方式によるダイバーシチ通信に比べてその伝送容量を原理的に２倍まで大きくすることができ、しかも二つの電波伝搬路について最大比合成を行うことができる。
【０００２】
【従来の技術】
マイクロ波やミリ波を用いる見通し内固定通信方式では、フェージングによる電波伝搬特性の時間的な変動を避ける有効な手段として空間ダイバーシチ通信方式が広く行われている。また、携帯電話など移動通信でも、マルチパス・フェージングによる電波伝搬特性の時間的な変動を避けるためにダイバーシチ通信方式が広く使われている。これら、従来のダイバーシチ通信方式は、送信側装置で一つの送信信号について二つの電波伝搬路を設定し、受信側装置ではこの二つの電波伝搬路からの受信信号をそれぞれ独立な二系統の受信手段により受信し、その二系統の受信出力をダイバーシチ合成するものである。受信出力の合成については最大比ダイバーシチ合成を行う技術が知られている。
【０００３】
図６はこのような従来例装置のブロック構成図である。すなわち、一つの送信データは、送信側装置の変調器３０１に与えられ、その変調出力信号は同一の信号からなる二つの信号に分岐されて、それぞれ独立の二つの送信機３０２および３０３に入力される。この二つの送信機３０２および３０３には、それぞれローカル発振器３０４および３０５から搬送波周波数が供給され周波数変換されて、二つの伝搬路３０６および３０７に送信される。
【０００４】
受信側装置では、この二つの伝搬路３０６および３０７からの信号をそれぞれ受信機３０８および３０９に与え、それぞれローカル発振器３１０および３１１から搬送波周波数を供給して周波数逆変換し、それぞれ二つの自動利得制御手段（ＡＧＣ）３１２および３１３により利得調整される。この自動利得制御手段の出力は、それぞれ相関制御回路３１４および３１５が演算する重み係数と、複素乗算器３１６および３１７により乗算される。この二つの出力は加算回路３１８により一つの信号に復元される。ここで二つの相関制御回路３１４および３１５は、加算回路３１８の出力を利用して、この加算回路３１８の出力信号が二系統の伝搬路から受信した信号について、振幅が二乗に比例し、位相が同相となるように前記重み係数を発生する。これによりダイバーシチの最大比合成が行われ、復調器３１９により送信データに相応する受信データが復元される。
【０００５】
これらの最大比合成ダイバーシチ通信を行う受信側の構成については、例えば特開昭５９−１０５７２７号公報に記載されている。
【０００６】
【発明が解決しようとする課題】
上述の従来例ダイバーシチ通信方式では、二つの独立な電波伝搬路を専有することになるが、全体の信号伝送容量は一つの電波伝搬路を利用するものと同等である。すなわち、一つの電波伝搬路がほとんど使えない状態にその特性が劣化しているとき以外は、電波資源が有効に利用されていないことになる。
【０００７】
送受信装置のハードウエア資源についても同様である。すなわち、送信側装置および受信側装置とも、二つの系統のハードウエアを装備しているものの常に一系統の信号を伝送することしかできない。
【０００８】
本発明は、このような背景に行われたものであって、伝搬路の品質に応じて信号の伝送容量を大きくすることができるダイバーシチ通信方式を提供することを目的とする。本発明は、二つの独立な伝搬路が相応の品質を維持している限り、二系統の信号を伝送し、それぞれ最大比ダイバーシチ合成を行うことができるダイバーシチ通信装置を提供することを目的とする。本発明は電波資源およびハードウエア資源の有効利用をはかることを目的とする。
【０００９】
【課題を解決するための手段】
本発明では、送信側装置で、二つの伝搬路に送信される信号を二つの独立の送信信号がベクトル的に鏡像関係になるように合成して送信し、受信側装置で、二つの受信信号から、送信信号の鏡像関係を利用して、それぞれ一方の送信信号を消去することにより、二つの独立な送信信号を復元する。
【００１０】
これは、一つの送信信号からみた場合、二つの伝搬路で伝送される他方の送信信号が逆向きのベクトルとなる関係、つまり鏡像関係で合成されていれば、受信側でその他方の信号は二つの受信信号によって消去できる関係を利用し、二つの送信信号をベクトル的に鏡像関係となるように合成して送信し、受信側では、受信信号から重畳された他方の送信信号を消去してそれぞれの送信信号を受信側で復元することで、従来のダイバーシチ通信方式に比べて最大２倍の伝送容量を実現するものである。
【００１１】
すなわち、本願の発明では、送信側装置は、二つの伝搬路を利用して二つの独立な送信信号（Ｓ１  ，Ｓ２  ）をその和信号（Ｓ１  ＋Ｓ２  ）および差信号（Ｓ１  −Ｓ２  ）として合成して送信し、受信側装置でこの和信号および差信号のままでＡＧＣ制御および複素レベルでの相関制御による重み係数の乗算を行ってから、二つの独立な信号に分離復元する。
【００１２】
さらに詳しくは、本発明では、互いに独立な二系統の送信信号（Ｓ１  ，Ｓ２  ）をそれぞれ入力とする加算手段および減算手段と、この加算手段の出力信号（Ｓ１  ＋Ｓ２  ）および減算手段の出力信号（Ｓ１  −Ｓ２  ）をそれぞれ二つの伝搬路にダイバーシチ送信する二つの送信手段とを送信側装置に備え、この二つの伝搬路を通過した信号をそれぞれ受信する二つの受信手段と、この二つの受信手段の出力をそれぞれ入力とする二つの自動利得制御手段と、この二つの自動利得制御手段の出力信号にそれぞれ重み係数（Ｗ１  ，Ｗ２  ）を複素乗算する二つの乗算手段と、この二つの乗算手段の各出力信号（ｘ１  ，ｘ２  ）をそれぞれ入力とする加算手段および減算手段と、この加算手段の出力（ｙ１  ＝ｘ１  ＋ｘ２  ）および減算手段の出力（ｙ２  ＝ｘ１  −ｘ２  ）をそれぞれ第一の入力とし前記二つの自動利得制御手段の出力をそれぞれ第二の入力としそれぞれ相関演算を行い前記重み係数（Ｗ１  ，Ｗ２  ）として前記二つの乗算手段にそれぞれ与える相関制御手段とを受信側装置に備えたことを特徴とする。
【００１３】
この構成により、二つの伝搬路が相応の伝送特性を維持しているかぎり、二つの伝搬路によるダイバーシチ効果を得ることができるとともに、最大２倍までその伝送容量を増大させ、電波の周波数資源およびハードウエア資源を有効に利用することができる。
【００１４】
さらに本発明では、前記互いに独立な二系統の送信信号（Ｓ１  ，Ｓ２  ）はそれぞれ位相がほぼπ／２異なる二つの同一周波数の搬送波を変調し信号とすることができる。すなわち、送信側装置で、二つの入力送信データ信号で搬送波をそれぞれ二つの変調器で変調する際に、この二つの変調器ではその搬送波周波数を同一とし、その位相をほぼπ／２だけ違える構成とすることがよい。ここで、ほぼπ／２とは、その位相差が正確にπ／２でなくとも、本発明のダイバーシチ動作が成立する範囲でその位相偏差が許容されることを意味する。
【００１５】
この構成により、受信側装置では最大比ダイバーシチ合成を行うことができる。また、この構成により、二つの独立な伝搬路を二つの信号を位相多重して利用することになるから、位相多重により占有する伝送帯域に情報伝送のための余裕を発生させ、この余裕を実質的にダイバーシチ効果を発生させるために利用することになる。
【００１６】
前記二つの相関制御手段は、前記受信側装置の加算手段の出力（ｙ１  ）および減算回路の出力（ｙ２  ）について、それぞれ振幅が二乗に比例し、位相が同相になるように前記重み係数（Ｗ１  ，Ｗ２  ）を演算する手段を含む構成とすることができる。
【００１７】
前記二つの伝搬路の減衰係数（複素数）をそれぞれρ１  ，ρ２  とするとき、前記二つの自動利得制御手段の利得はそれぞれ
１／｜ρ１  ｜、１／｜ρ２  ｜
に比例し、前記重み係数はそれぞれ、ｋ１  、ｋ２を比例定数とするとき
Ｗ１  ＝ｋ１  ρ１  ＊／｜ρ１  ｜、Ｗ２  ＝ｋ２  ρ２  ＊／｜ρ２  ｜
（ρ１  ＊およびρ２  ＊  はそれぞれρ１  およびρ２  の複素共役を表す）とすることが最適である。
【００１８】
さらに、相関制御手段に、加算手段および減算手段の出力に代えて、復調手段で復調された二つの受信データを再変調した信号を基準信号として与えてもよい。この場合、相関演算のために入力される基準信号には受信機雑音等を含まないので、精度の高い相関演算を行うことができる。
【００１９】
また、加算手段および減算手段の出力に代えて、プリアンブル信号発生手段からのプリアンブル信号を基準信号として相関制御手段に与え、一方、自動利得制御手段の出力から抽出したプリアンブル信号を与え、相関演算を行うようにしてもよい。この場合も、受信機雑音等の影響を受けないので精度の高い相関演算を行うことができる。
【００２０】
なお、伝搬路の特性を監視する手段を備え、一方の伝搬路の品質が劣化して受信信号レベルが低下し受信信号の再現ができないようになった場合には、送信側に対して送信信号の合成処理を停止するように通知し、送信側で送信信号の合成を停止することが望ましい。これにより、例えば一方の伝搬路での受信信号レベルが大幅に低下したときに、双方の送信信号の復元ができなくなることを防止することができる。
【００２１】
【発明の実施の形態】
実施例図面を用いて本発明の構成および動作を詳しく説明する。この実施例はあくまでも本発明の理解を助けるための実施例であり、特許請求の範囲を限定するものではない。
【００２２】
（第一実施例）
図１は本発明第一実施例装置のブロック構成図である。全体構成を説明すると、図１の左端から、送信側装置には二つの送信データ（送信データ１および送信データ２）が入力される。送信側装置と受信側装置は二つの独立な電波伝搬路１０９および１１０により結ばれ、受信側装置の出力には二つの受信データ（受信データ１および受信データ２）が得られる。この送信側装置あるいは受信側装置の一方はたとえば見通し内通信を行う無線装置であり、二つの独立な電波伝搬路（以下伝搬路という）は、伝搬状態の変動により、時間的にその伝搬特性が変動する。これを救済するためにダイバーシチ方式が設定される。
【００２３】
送信側装置には、送信データ１および送信データ２でそれぞれ独立に搬送波信号を変調する二つの変調器１０１および１０２を備える。この二つの変調器１０１および１０２には一つの搬送波発生器１００から、互いにその位相がπ／２だけ異なる搬送波信号が供給される。
【００２４】
この変調器１０１および１０２の出力信号は、中間周波数の互いに独立な二系統の送信信号（Ｓ１  ，Ｓ２  ）であり、この送信信号をそれぞれ入力とする加算器１０３および減算器１０４を備える。この加算器１０３および減算器１０４の各出力信号（（Ｓ１  ＋Ｓ２  ）および（Ｓ１  −Ｓ２  ））をそれぞれ別個の送信手段に与える。送信手段は、それぞれ送信機１０５および１０６、およびこれらに周波数信号を供給する二つの独立のローカル発振器１０７、１０８により構成された送信手段を備える。この送信手段の出力信号は、二つの伝搬路１０９および１１０にダイバーシチ送信する。
【００２５】
受信側装置には、この二つの伝搬路１０９および１１０から到来する受信信号を受信する個別の受信手段を備える。この受信手段は、受信機１１１および１１２、およびこれらに周波数信号を供給する二つの独立なローカル発振器１２３、１２４からなる。この二つの受信手段の出力をそれぞれ入力とする二つの自動利得制御手段（ＡＧＣ）１１３および１１４を備える。さらにこの二つの自動利得制御手段の出力信号にそれぞれ重み係数（Ｗ１  ，Ｗ２  ）を複素乗算する二つの乗算器１１７および１１８を備え、この二つの乗算器の各出力信号（ｘ１  ，ｘ２  ）をそれぞれ入力とする加算器１１９および減算器１２０を備え、この加算器１１９の出力（ｙ１  ＝ｘ１  ＋ｘ２  ）および減算器１２０の出力（ｙ２  ＝ｘ１  −ｘ２  ）をそれぞれ第一の入力とし前記二つの自動利得制御手段の出力を第二の入力としそれぞれ相関演算を行い前記重み係数（Ｗ１  ，Ｗ２  ）を前記二つの乗算器１１７および１１８にそれぞれ与える相関制御回路１１５および１１６とを備える。
【００２６】
この加算器１１９の出力（ｙ１  ）は復調器１２１により復調されて受信データ１となり、この減算器１２０の出力（ｙ２  ）は復調器１２２により復調されて受信データ２となる。
【００２７】
送信側装置の加算器１０３の出力（Ｓ１  ＋Ｓ２  ）は送信手段により無線周波数に周波数変換されて伝搬路１０９に送信される。減算器１０４の出力（Ｓ１  −Ｓ２  ）は送信手段により無線周波数に周波数変換されて伝搬路１１０に送信される。この伝搬路１０９と１１０とはこの例では互いに独立の伝搬路であり、二系統の伝搬路１０９、１１０の伝達係数をρ１  、ρ２  とする。なお、以下では伝搬路１０９の経路をブランチ１、伝搬路１１０の経路をブランチ２ともいう。
【００２８】
受信側装置では受信機１１１、１１２によりそれぞれ中間周波数に周波数変換される。これはそれぞれ送信信号（Ｓ１  ＋Ｓ２  ）および（Ｓ１  −Ｓ２  ）に対応する受信信号であり、この二つの受信信号は自動利得制御手段１１３および１１４によりそれぞれレベルに関する正規化処理を受ける。
【００２９】
つぎにこの実施例装置のダイバーシチ処理に係る動作原理を図２を用いて説明する。図２は受信側装置の自動利得制御手段以降、復調器までの二系統の信号通路の構成を示す。送信側で上側の系統の送信信号は（Ｓ１  ＋Ｓ２  ）となる。この送信信号は伝搬路を経由することによりその伝達係数ρ１  が乗ぜられ、図２の左端で自動利得制御手段１１３の入力信号はρ１  （Ｓ１  ＋Ｓ２  ）となる。一方、下側の系統の送信信号は（Ｓ１  −Ｓ２  ）であるから、自動利得制御手段１１４の入力信号はρ２  （Ｓ１  −Ｓ２  ）となる。この関係を信号ベクトル図としてそれぞれ図２に表示する。すなわち信号Ｓ１  と信号Ｓ２  の直交関係は二つの系統で同一でなく互いに鏡像の関係になる。
【００３０】
各系統の自動利得制御手段では受信信号キャリアレベルに関して正規化を行う。すなわち上側の系統の自動利得制御手段１１３の利得は１／｜ρ１  ｜、下側の系統の自動利得制御手段１１４の利得は１／｜ρ２  ｜となる。
【００３１】
この自動利得制御手段の各出力には複素乗算器にて重み係数を乗算される。各系統の重み係数（Ｗ１、Ｗ２）は図１で説明したようにそれぞれ相関制御回路１１５および１１６で演算される。すなわち上側の系統の相関制御回路１１５では加算器１１９の出力と乗算器１１７の入力との相関を演算する。下側の系統の相関制御回路１１６では、減算器１２０の出力と乗算器１１８の入力との相関を演算する。すなわち加算器１１９および減算器１２０の出力はＳ１  もしくはＳ２  を含む信号であり、加算器１１９の出力がＳ１  を含むものと仮定すると、相関制御回路１１５では
0003632535.tif 000002
なる演算が行われる。ここで、ｃｏｎｊ｛  ｝は複素共役を示し、Ｅ［  ］は期待値（時間平均）を示す。
【００３２】
同様に相関制御回路１１６では
Ｗ２  ＝ρ２  ＊／｜ρ２  ｜
なる演算が行われる。ここでρ１  ＊、ρ２  ＊はρ１  、ρ２  の複素共役信号
ｃｏｎｊ｛  ｝
を簡略表現したものである。
【００３３】
複素乗算器１１７および１１８では、これらの重み係数を各信号に乗じ、加算器１１９の出力信号は、
0003632535.tif 000003
となり、減算器１２０の出力信号は、
0003632535.tif 000004
となる。ここで、＊＊２は二乗を意味する。
【００３４】
また
ρ１  ρ１  ／｜ρ１  ｜＊＊２
および
ρ２  ρ２  ／｜ρ２  ｜＊＊２
はいずれも共役複素の積であるから、これらは実数であり、振幅の二乗値で正規化されているから、ともに実数１となる。この動作は振幅について二乗、位相について実数軸に対して同相となるような振幅位相制御を行っていることに相当する。すなわち上記ｙ１  ではＳ１  について最大比合成が、ｙ２  ではＳ２  について最大比合成（ＭＲＣ：  ｍａｘｉｍａｌｌｙ  ｄｉｖｅｒｓｉｔｙ  ｃｏｍｂｉｎｉｎｇ）が実行されていることになる。
【００３５】
したがって上側の系統では加算器１１９の出力で信号Ｓ２  の成分は逆位相となってキャンセルされ、出力の信号成分は２Ｓ１  となる。同様に下側の系統では減算器１２０の出力の信号成分は２Ｓ２  となる。この動作は、図２に示される二つのベクトル図をＳ１  について同位相となるように合成すれば、Ｓ２  が互いに逆位相でキャンセルされることからも容易に理解できる。同様に二つのベクトル図について信号Ｓ２  について同位相で合成すれば、信号Ｓ１  がキャンセルされる。なお出力信号ｙ１  ，ｙ２  はそれぞれ信号Ｓ１  およびＳ２  の２倍の値を示していることは二系統の最大比合成による結果であり、３ｄＢのダイバーシチゲインが得られていることになる。
【００３６】
上記の二つの伝搬路１０９および１１０についてさらに説明を加えると、二つの送信機１０５および１０６には出力周波数帯域を制限するための帯域通過瀘波器を備えている。この帯域瀘波器の通過帯域幅は利用することができる電波の規則により制約を受けるものである。上で説明したように本発明では実質的に位相多重を行うことになるので、この通過帯域幅は、図３で説明した従来例装置の送信機３０２および３０３に備えている帯域瀘波器より広いものを用いることができることが望ましいが、かりにこれが従来例装置と同等のものであるとしても、位相多重により伝搬路の伝送容量に余裕を発生させたことになり、この余裕分がダイバーシチ効果に利用される。
【００３７】
（第二実施例）
次に、本発明の第二の実施例を図面を参照して説明する。図３は第二の実施例の受信側の構成を示す図である。図１の第一実施例との相違は、ダイバーシチブランチの相関制御回路１１５、１１６への入力信号を加算器１１９、減算器１２０からとるのではなく、復調器１２１、１２２で復調されたデータを変調器１２５、１２６で再変調したものを入力して利用する点が異なる。
【００３８】
この図４に示す実施の動作を説明する。第一実施例との相違は、相関制御の操作において、基準となる信号を加算器１１９の出力を利用するのではなく、ブランチ１の場合であれば、復調器１２１の判定データ信号を変調器１２５で再変調し、これを相関制御回路１１５にフィードバックしている点である。
【００３９】
図１の第一実施例において、ブランチ１の相関処理は次の式で示される。
【００４０】
0003632535.tif 000005
ここで、この式の第一行目の右辺において、ｃｏｎｊ（Ｓ１  ＋Ｓ２  ）の項は自動利得制御手段１１３からの受信信号であり、送信側においてブランチ１とブランチ２の信号の和がとられた結果である。一方、ｃｏｎｊ（Ｓ１  ＋Ｓ２  ）に乗じられるＳ１は加算器１１９の出力ｙ１に含まれるＳ１に該当している。特に、乗算器１１７への重み係数が上記式のように、
Ｗ１  ＝ρ１  ＊／｜ρ１  ｜
に収束した場合には、ｙ１には、Ｓ１のみが出力されることとなる。他方、Ｓ１は、ブランチ１の送信信号であり、これは復調器１２１で復調されるべきものである。すなわち、復調器１２１が正しいデータ判定を行っているならば、受信データ１は送信データ１と一致する。これを図３に示す変調器１２５により再変調を行えば、送信信号Ｓ１を再現したことになり、これを相関制御回路１１５にフィードバックし、加算器１１９の出力ｙ１の代わりに入力すれば、上記相関係数Ｗ１の演算が可能である。また、ブランチ２においても同様の操作が可能であり、復調器１２２の出力する受信データ２を変調器１２６で再変調し、これを相関制御回路１１６に入力すればよい。
【００４１】
この第二実施例は、第一実施例と比較すると、重み係数Ｗ１およびＷ２を精度よく求めることができる利点がある。第一実施例では、ブランチ１とブランチ２の受信信号同士の和（加算器１１９の出力）と差（加算器１２０の出力）を相関制御回路１１５と１１６にフィードバックして利用しているが、これらの信号にはわずかであるが受信機雑音を含んでいる。一方、第二実施例においては、復調器１２１では受信信号から閾値判定などによりデータ判定を行っているため、データにはもはや受信機雑音を含まない。ビット誤りが生じていない場合には、判定データは送信側とまったく同じものであり、これを変調器１２５で再変調することにより、雑音が除去されたクリーンな送信信号のレプリカＳ１を得ることができる。したがって、相関制御回路１１５の基準信号Ｓ１は第一実施例よりも雑音を含んでいない分、精度の高い相関演算が可能であり、得れられる重み係数が第一実施例より正しい値に漸近する効果がある。
【００４２】
（第三実施例）
次に、図４を参照して第三実施例を説明する。この第三実施例は、ダイバーシチブランチの相関制御回路１１５、１１６の入力信号を加算器１１９、減算器１２０からとるのではなく、送信信号に対応した既知のプリアンブル信号を利用することを特徴とする。
【００４３】
図４に示す第三実施例が第一実施例と相違する点は、自動利得制御手段１１３、１１４と相関制御回路１１５、１１６との間に設けられたゲート回路１３０、１３１と、相関制御回路に基準信号を与えるプリアンブル信号発生回路１３２、１３３とを設けている点である。このプリアンブル信号発生回路１３２、１３３は、既知の送信プリアンブル信号を発生し、各ブランチの相関制御回路１１５、１１６にプリアンブル信号を供給する。このプリアンブル信号発生回路としては、ＲＯＭを用いてプリアンブル信号を発生させることができ、実際には、受信信号の同期制御等を行う受信制御回路にあるプリアンブル信号発生回路を用いることができる。
【００４４】
この第三実施例の動作を説明する。データ無線通信においては、プリアンブル信号が先頭に付与された無線パケット方式がとられるのが一般的であり、このプリアンブル信号が現れるタイミングも受信側では既知である。このため、このプリアンブル信号を用いて受信信号との相関演算を行うことにより、より精度の高い相関演算を行うことが可能となる。
【００４５】
この第三実施例では、相関制御操作の基準となる信号を加算器１１９の出力を利用するのではなく、ブランチ１ならば、ブランチ１の受信側において設けられたプリアンブル信号発生回路１３２の出力するプリアンブル信号１を相関制御回路１１５にフィードバックしている。このプリアンブル信号によって相関処理を行うために、自動利得制御手段１１３の出力から送信プリアンブル信号を分離抽出するための、ゲート回路１３０を設けている。プリアンブル信号が現れるタイミングは受信側で既知であるため、プリアンブル信号が現れる期間だけゲート回路１３０を開いて自動利得制御手段１１３に受信プリアンブル信号を入力する。
【００４６】
この第三実施例では、既知のプリアンブル信号を用いているため、雑音を含んでおらず、精度の高い相関演算が可能であり、得られる重み係数がより正しい値に漸近する。また、第二実施例では、判定データを用いているため、Ｃ／Ｎが低い領域ではビット誤りが生じ、判定データを再変調した信号は必ずしも送信側レプリカ信号とは完全に一致しない場合が生じ、これは相関制御回路１１５において、相関結果に多少の誤差をもたらすことがある。これに対して、第四実施例では、基準となる信号に既知のプリアンブル信号を用いているため、伝搬において発生するＣ／Ｎなどに影響されずに正しい相関のための基準信号が得られる利点がある。
【００４７】
（第四実施例）
以上の実施例では、一方の伝搬路の状態が悪化し、受信側で信号を受信できない状態になった場合にどのような送受信制御を行うかについては説明していない。この第四実施例は、片方の伝搬路の受信レベルがフェイドアウトした場合に、受信側から送信側にダイバーシチ送信の手順を変更するように制御する構成である。
【００４８】
第一実施例から第三実施例の構成では、一方のブランチの受信レベルが低下してフェイドアウトした場合には、送信信号Ｓ１、Ｓ２の双方とも復元することはできなくなる。すなわち、上述の実施例では、図２に示されるように、ブランチ１はＳ１＋Ｓ２、ブランチ２はＳ１−Ｓ２の信号をそれぞれ送信側において合成している。受信側において、これらを加算器１１９もしくは減算器１２０において線形合成することにより、各ブランチ出力として、２Ｓ１、２Ｓ２のダイバーシチ合成信号を得ている。ここで、片方のブランチ、例えばブランチ２の受信信号レベルが低下して自動利得制御手段１１４で正規化できない状態になったとすると、加算器１１９において、ブランチ１の信号がそのまま加算器１１９を通過し、ブランチ１におけるＳ２の信号を消去できない。これは、ブランチ１の受信信号Ｓ１がＳ２の干渉を受けているのと等価であり、以後の復調回路において信号の再生ができないという現象が生ずることになる。
【００４９】
第四実施例では、双方のブランチの受信信号レベルの監視を行い、片方のブランチの受信レベルが閾値以下となった場合には、送信側でのＳ１＋Ｓ２、Ｓ１−Ｓ２の処理を行わないように制御することにより、受信側で復調できなくなる現象に対応することができる。例えば天候の変化等による無線伝搬路の状態変動は突発的ではなく、信号の瞬断が生じないので、このようなブランチの受信信号レベルの監視により変動に対応することができる。
【００５０】
この第四実施例では、送信側は、受信側からの制御信号を受信する制御回路１３７と、変調器１０１から減算器１０４への経路に挿入されたスイッチ回路１３８と、変調器１０２から加算器１０３の経路に挿入されたスイッチ回路１３９とを備える。受信側は、ブランチ１には、ゲート回路１３０、プリアンブル信号発生回路１３２、ブランチ２には、ゲート回路１３１、プリアンブル信号発生回路１３３、相関制御回路１１５、１１６の出力が入力される制御回路１３４と、この制御回路１３４の出力が入力され、乗算器１１７から減算器１２０への経路に挿入されたスイッチ回路１３５、乗算器１１８から加算器１１９への経路に挿入されたスイッチ回路１３６とを備える。制御回路１３４は、送信側の制御回路１３７へ制御信号を送信する。
【００５１】
ここで、制御回路１３４は、受信信号レベルの監視として相関制御回路１１５、１１６の出力する相関結果を用いる。この相関値は受信信号の複素共役に基準信号であるプリアンブルとの相関処理によるものであるから、受信信号レベルが低下すれば、これに応じて相関値も低下する。当該ブランチ受信信号がフェイドアウトした場合には、相関値は零となる。このため、制御回路１３４は各ブランチ１、２の相関値を監視し、これらがある閾値以下となった場合には、受信側のスイッチ回路１３５、１３６を制御し、スイッチ回路を通る信号を遮断する。また、この場合には、制御回路１３４は、相手局に対して相手局制御信号を出力する。この制御信号は当該局において送信信号に時分割多重されて相手局に送信され、相手局は、制御回路１３７によりスイッチ回路１３８および１３９を制御してこれらを通る信号を遮断する。これにより、送信側の加算器１１９および減算器１０４は、和と差の処理を行うのではなく、単に当該ブランチの信号を通過させることになり、ブランチ１ではＳ１のみを、ブランチ２ではＳ２のみを送信することになる。
【００５２】
これにより、片方のブランチの受信信号レベルが低下したときに通常のダイバーシチ送信方式となり、双方の信号とも復元できなくなる現象を避けることができる。
【００５３】
なお、無線伝搬路の監視は、他の方法でもよく、受信信号の電界強度の監視等、従来から行われている受信信号レベルの監視手段を用いることができる。
【００５４】
【発明の効果】
以上説明したように、本発明によれば、従来例二系統の電波伝搬路に同一の情報信号を伝送してダイバーシチを行っていたものが、伝送容量を最大２倍まで増大することができるとともに、受信側装置で最大比合成によるダイバーシチ合成を行うことができる。本発明により、電波資源およびハードウエア資源の有効利用をはかることができる。本発明は、局間あるいはビル間で無線通信を行う場合に、その伝送容量の増加を図ることができる。
【図面の簡単な説明】
【図１】本発明第一実施例装置のブロック構成図。
【図２】本発明第一実施例装置のダイバーシチ制御の動作を説明するための図。
【図３】本発明第二実施例のブロック構成図。
【図４】本発明第三実施例のブロック構成図。
【図５】本発明第四実施例のブロック構成図。
【図６】従来例のブロック構成図。
【符号の説明】
１００  搬送波発生器
１０１、１０２、３０１  変調器
１０３  （送信側装置の）加算器
１０４  （送信側装置の）減算器
１０５、１０６、３０２、３０３  送信機
１０９、１１０、３０６、３０７  伝搬路
１１１、１１２、３０８、３０９  受信機
１０７、１０８、１２３、１２４、３０４、３０５、３１０、３１１  ローカル発振器
１１３、１１４、３１２、３１３  自動利得制御手段
１１５、１１６、３１４、３１５  相関制御回路
１１７、１１８、３１６、３１７  複素乗算器
１１９、３１８  （受信側装置の）加算器
１２０  （受信側装置の）減算器
１２１、１２２、３１９  復調器
１２５、１２６  変調器
１３０、１３１  ゲート回路
１３２、１３３  プリアンブル信号発生回路
１３４、１３７  制御回路
１３５、１３６、１３８、１３９  スイッチ回路
【図１】
0003632535.tif 000006
【図２】
0003632535.tif 000007
【図３】
0003632535.tif 000008
【図４】
0003632535.tif 000009
【図５】
0003632535.tif 000010
【図６】
0003632535.tif 000011